(57)【要約】【課題】床よりも下方に落とし込んだ状態で設備を設置する場合において、設備のサイズに制約が生じるのを抑制しながら、設備を安定した状態で設置することができる建物における設備設置構造を提供する。【解決手段】建物ユニット２０ａには、床面材２８よりも下方に落とし込まれた状態で浴室ユニット３５が設置されている。浴室ユニット３５は、互いに対向する床大梁２３及び床小梁３１の間を通じて配置され、それら各床梁２３，３１の内側にはそれら床梁２３，３１よりも下方に延びる垂下部材５１が取り付けられている。各垂下部材５１は互いに対向する平板状をなしている。各垂下部材５１には各床梁２３，３１よりも低い位置で支持梁５８が架け渡して設けられている。この支持梁５８により浴室ユニット３５が下方から支持されている。また、浴室ユニット３５と床面材２８との間には浴室ユニット３５の振れを抑制する振れ止め部材６５が介在されている。【選択図】      図３
2020186587.tif 000002
【特許請求の範囲】
【請求項１】
複数の床梁と、
前記床梁により下方から支持された床面材と、
その床面材よりも下方に落とし込まれることで前記床面材と横並びで設置される設備と、を備え、
前記設備は、前記各床梁のうち互いに対向する一対の対向床梁の間を通じて配置されている建物における設備設置構造であって、
前記各対向床梁の内側にそれぞれ前記対向床梁よりも下方に延びた状態で取り付けられ、互いに対向する平板状をなす一対の垂下部材と、
前記各対向床梁よりも低い位置で前記各垂下部材に架け渡されて設けられ、前記設備を下方から支持する支持部材と、
前記設備と前記床面材との間に介在され前記設備の振れを抑制する振れ止め部材と、
を備えることを特徴とする建物における設備設置構造。
【請求項２】
前記設備は、前記床面材と同じ高さ位置に設けられた設備床部を有し、
前記振れ止め部材は、前記設備床部と前記床面材との間に配置されていることを特徴とする請求項１に記載の建物における設備設置構造。
【請求項３】
前記床梁として、前記床面材を下方から支持するとともに、前記床面材における前記設備との境界部に沿って配置された境界床梁を備え、
前記振れ止め部材は、前記設備と前記境界床梁とにそれぞれ固定されていることを特徴とする請求項１又は２に記載の建物における設備設置構造。
【請求項４】
前記境界床梁の上面には前記設備側とは反対側に前記床面材が載置され、その載置により、前記上面における前記設備側は前記床面材が載置されていない非載置領域となっており、
前記設備において前記床面材よりも下方に落とし込まれた落とし込み部分には、前記境界床梁側の側面に前記振れ止め部材を固定するための固定部材が取り付けられ、
前記固定部材は、その上面が前記境界床梁の上面と同じ高さ位置に設定され、
前記振れ止め部材は平板状の板材からなるとともに、前記固定部材の上面と前記境界床梁の前記非載置領域とに跨がって載置され、かつ前記固定部材及び前記境界床梁にそれぞれ固定されていることを特徴とする請求項３に記載の建物における設備設置構造。
【請求項５】
前記設備は、浴室を形成する浴室ユニットであり、
前記浴室ユニットは、前記浴室への出入口を開閉する浴室ドアと、その浴室ドアの周囲に設けられたドア枠とを有し、
前記振れ止め部材は、前記ドア枠の下方に配置されていることを特徴とする請求項１乃至４のいずれか一項に記載の建物における設備設置構造。
【請求項６】
建物ユニットとして、前記設備が設置された上階ユニットと、その上階ユニットの下方に隣接して設けられた下階ユニットとを備えるユニット式建物に適用され、
前記下階ユニットには、複数の天井小梁が横並びで設けられており、
前記上階ユニットでは、前記支持部材としての支持梁が前記天井小梁と同じ方向に延びるように設けられており、
前記支持梁は、隣り合う前記天井小梁の間において前記各垂下部材に架け渡されて設けられていることを特徴とする請求項１乃至５のいずれか一項に記載の建物における設備設置構造。
【発明の詳細な説明】
【技術分野】
【０００１】
本発明は、建物における設備設置構造に関する。
【背景技術】
【０００２】
住宅等の建物には、浴室を形成するバスユニットが設置されている場合がある。バスユニットは、浴槽や洗い場等を有して構成されている。
【０００３】
バスユニットでは一般に、バリアフリーの観点から、洗い場の床面が浴室と隣接する脱衣室等の床面と同じ高さ位置に設定されている。この場合、バスユニットは、脱衣室等の床よりも下方に落とし込んだ状態で設置されることになる。
【０００４】
このようなバスユニットの設置構造として、特許文献１には、溝形鋼からなる一対の床梁の間を通じてバスユニットが設置される構造が開示されている。この特許文献１の設置構造では、各床梁が互いの溝部を向き合わせて設けられ、それら各床梁の溝部には受け部材が嵌め込まれている。そして、各受け部材には、その受け部材よりも垂下した状態で吊り部材が設けられ、それら各吊り部材には、バスユニットを支持する支持部材が架け渡されて設けられている。この場合、支持部材は床梁よりも低い位置に配置され、その支持部材上にバスユニットが設置される。
【０００５】
また、特許文献１の設置構造では、各吊り部材が、受け部材の上に固定される上側水平部と、その上側水平部の内側端部から下方に延びる垂下部と、その垂下部の下端部から内側に延び支持部材に固定される下側水平部とを有するＺ字形となっている。また、吊り部材には、その幅方向の両側に上側水平部、垂下部及び下側水平部をそれぞれ連結する一対の補強部が設けられ、これにより、吊り部材の強度向上が図られている。そのため、特許文献１の設置構造では、バスユニットを吊り部材を介して支持した構成にあって、バスユニットに振れが生じるのを抑制することが可能となっていることが伺える。
【先行技術文献】
【特許文献】
【０００６】
【特許文献１】特開２０１０−１５９６０２号公報
【発明の概要】
【発明が解決しようとする課題】
【０００７】
ところで、上記特許文献１の設置構造では、各床梁の内側に吊り部材が配置されるため、各床梁の間を通じてバスユニットを設置するにあたり、それら各吊り部材に干渉しないよう設置する必要がある。ここで、吊り部材は、上側水平部、垂下部、下側水平部及び補強部を有した立体形状とされているため、吊り部材は床梁に対して内側に比較的大きく突出している。このため、バスユニットを各床梁の間に設置する際には、バスユニットのサイズに制約が生じることが考えられる。
【０００８】
そこで、吊り部材を立体形状に代え平板形状にすることで、吊り部材の床梁からの突出量を抑えることが考えられる。その場合、各床梁の間を通じてバスユニットを設置するに際し、バスユニットのサイズに制約が生じるのを緩和することができる。
【０００９】
しかしながら、吊り部材を平板状にすると、吊り部材の強度が低減され、バスユニットの振れ防止を図ることができなくなるおそれがある。そのため、バスユニットを安定した状態で設置することができなくなるおそれがある。
【００１０】
なお、このようなバスユニットの設置に関する問題は、バスユニットに限らず、掘りこたつ等、床よりも下方に落とし込んだ状態で設置される他の設備においても同様に生じうる問題である。
【００１１】
本発明は、上記事情に鑑みてなされたものであり、床よりも下方に落とし込んだ状態で設備を設置する場合において、設備のサイズに制約が生じるのを抑制しながら、当該設備を安定した状態で設置することができる建物における設備設置構造を提供することを主たる目的とするものである。
【課題を解決するための手段】
【００１２】
上記課題を解決すべく、第１の発明の建物における設備設置構造は、複数の床梁と、前記床梁により下方から支持された床面材と、その床面材よりも下方に落とし込まれることで前記床面材と横並びで設置される設備と、を備え、前記設備は、前記各床梁のうち互いに対向する一対の対向床梁の間を通じて配置されている建物における設備設置構造であって、前記各対向床梁の内側にそれぞれ前記対向床梁よりも下方に延びた状態で取り付けられ、互いに対向する平板状をなす一対の垂下部材と、前記各対向床梁よりも低い位置で前記各垂下部材に架け渡されて設けられ、前記設備を下方から支持する支持部材と、前記設備と前記床面材との間に介在され前記設備の振れを抑制する振れ止め部材と、を備えることを特徴とする。
【００１３】
本発明によれば、建物において浴室ユニット等の設備が床面材よりも下方に落とし込まれた状態で設置され、その設備が一対の対向床梁の間を通じて配置されている。各対向床梁の内側には対向床梁よりも下方に延びる一対の垂下部材が取り付けられ、それら各垂下部材には支持部材が架け渡されて設けられている。そして、その支持部材により設備が支持されている。
【００１４】
このような設備の設置構造において、一対の垂下部材は互いに対向する平板状をなしている。この場合、各垂下部材について対向床梁から内側へ突出する突出量を大いに抑制することができるため、各対向床梁の間を通じて設備を設置するに際し、その設備のサイズに制約が生じるのを抑制することができる。
【００１５】
また、設備と床面材の間には振れ止め部材が介在され、それにより設備の振れが抑制されている。この場合、垂下部材を平板状にしたことで垂下部材の強度低下を招くおそれがあるものの、振れ止め部材により設備の振れを抑制することで、設備を安定した状態で設置することができる。特に、床面材は水平方向に拡がって形成されているため、水平方向への荷重に対する抵抗力が高い。このため、振れ止め部材を設備と床面材との間に介在させることで、設備について水平方向への振れを好適に抑制することができる。よって、以上より、設備のサイズに制約が生じるのを抑制しながら、設備を安定した状態で設置することができる。
【００１６】
第２の発明の建物における設備設置構造は、第１の発明において、前記設備は、前記床面材と同じ高さ位置に設けられた設備床部を有し、前記振れ止め部材は、前記設備床部と前記床面材との間に配置されていることを特徴とする。
【００１７】
本発明によれば、振れ止め部材が設備の床部と床面材との間に配置されている。設備において床部は水平方向に拡がって形成されているため、水平方向への荷重に対する抵抗力が高い。このため、振れ止め部材を設備の床部と床面材との間に配置することで、振れ止め部材により設備の振れを抑制する際、設備が内側にたわむ等して変形するのを抑制することができる。これにより、設備の振れを好適に抑制することができる。
【００１８】
第３の発明の建物における設備設置構造は、第１又は第２の発明において、前記床梁として、前記床面材を下方から支持するとともに、前記床面材における前記設備との境界部に沿って配置された境界床梁を備え、前記振れ止め部材は、前記設備と前記境界床梁とにそれぞれ固定されていることを特徴とする。
【００１９】
本発明によれば、床面材を下方から支持する床梁（床支持梁）として、その床面材における設備との境界部に沿って配置された境界床梁が設けられている。そして、振れ止め部材が、その境界床梁と設備とにそれぞれ固定されている。この場合、振れ止め部材により設備の振れを抑制する効果を高めることができる。
【００２０】
なお、ここで、「振れ止め部材が設備に固定されている」とは、振れ止め部材が設備に対して直接固定されている場合だけでなく、振れ止め部材が他の部材（例えば後述する第４の発明における固定部材）を介して設備に固定されている場合をも含む意味である。
【００２１】
第４の発明の建物における設備設置構造は、第３の発明において、前記境界床梁の上面には前記設備側とは反対側に前記床面材が載置され、その載置により、前記上面における前記設備側は前記床面材が載置されていない非載置領域となっており、前記設備において前記床面材よりも下方に落とし込まれた落とし込み部分には、前記境界床梁側の側面に前記振れ止め部材を固定するための固定部材が取り付けられ、前記固定部材は、その上面が前記境界床梁の上面と同じ高さ位置に設定され、前記振れ止め部材は平板状の板材からなるとともに、前記固定部材の上面と前記境界床梁の前記非載置領域とに跨がって載置され、かつ前記固定部材及び前記境界床梁にそれぞれ固定されていることを特徴とする。
【００２２】
本発明によれば、設備の落とし込み部分における境界床梁側の側面に固定部材が取り付けられ、その固定部材の上面が境界床梁の上面と同じ高さ位置に設定されている。また、振れ止め部材は平板状の板材からなり、固定部材の上面と、境界床梁の上面において床面材が載置されていない非載置領域とに跨がって載置されている。そして、振れ止め部材は、かかる載置状態において、固定部材及び境界床梁にそれぞれ固定されている。この場合、振れ止め部材を平板により簡単に構成できるとともに、振れ止め部材を上方から設置固定できるため振れ止め部材の設置作業を容易にすることができる。
【００２３】
第５の発明の建物における設備設置構造は、第４の発明において、前記設備は、浴室を形成する浴室ユニットであり、前記浴室ユニットは、前記浴室への出入口を開閉する浴室ドアと、その浴室ドアの周囲に設けられたドア枠とを有し、前記振れ止め部材は、前記ドア枠の下方に配置されていることを特徴とする。
【００２４】
浴室ユニットを各対向床梁の間を通じて支持部材上に設置する際には、浴室ユニットにドア枠や浴室ドアを取り付けない状態で設置することが考えられる。これは、浴室ユニットを設置した後、作業者が浴室ユニット内に入って作業できるようにするためである。そこで、本発明では、この点に鑑みて、振れ止め部材をドア枠の下方に配置している。この場合、浴室ユニットを設置した後、ドア枠の配設スペースを通じて振れ止め部材を浴室ユニットと床面材との間に配置することが可能となる。このため、振れ止め部材を浴室ユニットと床面材との間に比較的容易に配置することが可能となる。なお、この場合には、振れ止め部材を配置した後、浴室ユニットにドア枠や浴室ドアを取り付けるようにすればよい。
【００２５】
第６の発明の建物における設備設置構造は、第１乃至第５のいずれかの発明において、建物ユニットとして、前記設備が設置された上階ユニットと、その上階ユニットの下方に隣接して設けられた下階ユニットとを備えるユニット式建物に適用され、前記下階ユニットには、複数の天井小梁が横並びで設けられており、前記上階ユニットでは、前記支持部材としての支持梁が前記天井小梁と同じ方向に延びるように設けられており、前記支持梁は、隣り合う前記天井小梁の間において前記各垂下部材に架け渡されて設けられていることを特徴とする。
【００２６】
本発明によれば、ユニット式建物において上下に隣接する上階ユニット及び下階ユニットのうち、上階ユニットに設備が設置されている。この場合、上階ユニットに設けられた支持梁は下階ユニットにおける隣り合う天井小梁の間に配置され、その支持梁上に設備が設置されている。これにより、上階ユニットに設備を落とし込んだ状態で設置するに際し、その落とし込み深さを深くすることができ、バリアフリーへの対応等をし易くすることができる。
【図面の簡単な説明】
【００２７】
【図１】ユニット式建物の概要を示す斜視図。
【図２】建物ユニットの構成を斜視図。
【図３】浴室用の建物ユニットの床部の構成を示す平面図。
【図４】図３のＡ−Ａ線断面図。
【図５】図３のＢ−Ｂ線断面図。
【図６】床大梁に対する垂下部材の取付構成を示す分解斜視図。
【図７】床小梁に対する垂下部材の取付構成を示す分解斜視図。
【図８】浴室ユニットの床パネルと脱衣室の床面材との境界部周辺を拡大して示す縦断面図。
【発明を実施するための形態】
【００２８】
以下に、一実施の形態について図面を参照しつつ説明する。本実施形態では、建物としてユニット式建物を採用している。図１は、ユニット式建物の概要を示す斜視図である。
【００２９】
図１に示すように、建物１０は、基礎１１上に配設される建物本体１２と、その建物本体１２の上方に配設される屋根１３とを備えている。建物本体１２は、下階部としての一階部分１４と、上階部としての二階部分１５とを有する二階建てとされている。建物本体１２の二階部分１５には、浴室１６と脱衣室１７とが互いに隣接して設けられている。
【００３０】
建物本体１２は、直方体状をなす複数の建物ユニット２０が互いに組み合わせられることにより構成されている。図２は、その建物ユニット２０の構成を斜視図であり、以下、この図２に基づいて建物ユニット２０の構成について簡単に説明する。
【００３１】
図２に示すように、建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００３２】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。例えば、天井小梁２５はリップ溝形鋼よりなり、床小梁２６は角形鋼よりなる。天井小梁２５によって天井面材２７が上方から支持され、床小梁２６によって床面材２８が下方から支持されている。
【００３３】
図１の説明に戻り、建物本体１２の二階部分１５には、浴室１６と脱衣室１７とが形成された浴室用の建物ユニット２０ａが含まれている。浴室用の建物ユニット２０ａは、上述した通常の建物ユニット２０（図２参照）と床部の構成が相違している。そこで、以下では、浴室用の建物ユニット２０ａの床部の構成について図３を用いながら説明する。図３は、浴室用の建物ユニット２０ａの床部の構成を示す平面図である。なお、図３では、参考として、一階部分１４において建物ユニット２０ａの直下に配置される建物ユニット２０（以下、この建物ユニット２０の符号にｂを付す）の天井小梁２５（以下、この天井小梁２５の符号にｂを付す）を一点鎖線で示している。また、この場合、浴室用の建物ユニット２０ａが上階ユニットに相当し、その下方に隣接する建物ユニット２０ｂが下階ユニットに相当する。
【００３４】
図３に示すように、建物ユニット２０ａの床部には、浴室１６が形成される浴室スペースＳ１と、脱衣室１７が形成される脱衣室スペースＳ２とが設定されている。浴室スペースＳ１と脱衣室スペースＳ２とは建物ユニット２０ａの長手方向に並んでいる。建物ユニット２０の床部において、脱衣室スペースＳ２に相当する部位には、長辺側の各床大梁２３の間に複数の床小梁２６が架け渡されている。これら各床小梁２６の上には床面材２８が設けられている。床面材２８は、例えばパーティクルボードにより形成され、各床小梁２６にビス等で固定されている。
【００３５】
一方、建物ユニット２０ａの床部において、浴室スペースＳ１に相当する部位には、短辺側の床大梁２３と床小梁２６とが互いに対向して設けられている。この床小梁２６は、浴室スペースＳ１と脱衣室スペースＳ２との境界部に配置され、以下では、この床小梁２６を床小梁２６ａという。床小梁２６ａは、他の床小梁２６と異なり、断面コ字状の溝形鋼よりなる（図４参照）。詳しくは、床小梁２６ａは、床大梁２３と同じ溝形鋼よりなる。
【００３６】
短辺側の床大梁２３と床小梁２６ａとの間には床小梁３１が架け渡されて設けられている。床小梁３１は、床大梁２３（及び床小梁２６ａ）と同じ断面コ字状の溝形鋼よりなる。これにより、建物ユニット２０ａの床部には、床小梁３１と、その床小梁３１に対向する長辺側の床大梁２３と、短辺側の床大梁２３と、床小梁２６ａとにより囲まれた矩形の梁囲み領域３２が形成されている。
【００３７】
浴室用の建物ユニット２０ａには、浴室１６を形成する浴室ユニット３５が組み込まれている。以下においては、この浴室ユニット３５の設置構造について図３に加え図４を用いながら説明する。なお、図４は図３のＡ−Ａ線断面図である。また、図３では便宜上、浴室ユニット３５の外縁のみを二点鎖線で示している。また、本建物１０では、浴室のリフォーム（改修）の際、浴室ユニット３５が建物ユニット２０ａ内に組み込まれたものとなっている。つまり、浴室のリフォームの際、従来の浴室ユニットが建物ユニット２０ａから撤去され、その代わりに浴室ユニット３５が建物ユニット２０ａ内に新たに組み込まれたものとなっている。
【００３８】
図３及び図４に示すように、浴室ユニット３５は、建物ユニット２０ａの梁囲み領域３２を通じて脱衣室１７の床面材２８よりも下方に落とし込まれた状態で設置されている。これにより、浴室ユニット３５は、床面材２８と横並びの状態で配置されている。なお、この場合、浴室ユニット３５が設備に相当する。
【００３９】
浴室ユニット３５は、浴室１６の壁面を形成する壁パネル３６と、浴室１６の床面を形成する床パネル３７と、浴室１６の天井面を形成する天井パネル（図示略）と、浴槽３８とを備えている。壁パネル３６と床パネル３７と浴槽３８とはいずれも硬質樹脂により形成されている。
【００４０】
床パネル３７は、洗い場１６ａの床面を形成する床板部３７ａと、その床板部３７ａの周縁部から下方に延びる側板部３７ｂとを有する。また、床パネル３７には、側板部３７ｂよりも内側において床板部３７ａから下方に延びる複数のリブ３７ｃが設けられている。これらのリブ３７ｃは格子状に設けられ、それにより、床パネル３７の面剛性が高められている。なお、床パネル３７が設備床部に相当する。また、床パネル３７が洗い場１６ａの床部を形成している点からすると、床パネル３７を洗い場床部ということもできる。
【００４１】
浴室ユニット３５は、脱衣室１７から浴室１６（洗い場１６ａ）へ出入りするための出入口４１と、その出入口４１を開閉する浴室ドア４２と、その浴室ドア４２の周囲に設けられたドア枠４３とを有する。ドア枠４３は、浴室ドア４２の下縁部に設けられた下枠部４３ａと、浴室ドア４２の各側縁部に設けられた一対の縦枠部４３ｂと、浴室ドア４２の上縁部に設けられた上枠部（図示略）とを有する。
【００４２】
建物ユニット２０ａにおいて浴室ユニット３５の屋外側には外壁部４５が設けられている。この外壁部４５により建物ユニット２０ａ内が屋外と区画されている。外壁部４５は、屋外に面した外壁面材４６と、屋内に面した内壁面材４７とを有している。
【００４３】
続いて、浴室ユニット３５を支持するための支持構造について図３及び図４に加え図５に基づいて説明する。図５は図３のＢ−Ｂ線断面図である。なお、図５では便宜上、浴室ユニット３５の図示を省略している。また、図５では、建物ユニット２０ｂの天井小梁２５ｂを一点鎖線で示している。また、本建物１０においては、浴室ユニット３５の支持構造が浴室リフォームの際に構築されたものとなっている。
【００４４】
図３〜図５に示すように、床小梁３１と長辺側の床大梁２３とは梁囲み領域３２を挟んで互いに対向している。この場合、床大梁２３は、その溝部２４を梁囲み領域３２に向けて配置され、床小梁３１は、その溝部２４を梁囲み領域３２とは反対側に向けて配置されている。なお、これら床大梁２３及び床小梁３１が一対の対向床梁に相当する。
【００４５】
ちなみに、梁囲み領域３２を囲む各床梁２３，２６ａ，３１はいずれも建物１０において浴室リフォーム前から設けられていた既設部材となっている。また、これら各床梁２３，２６ａ，３１が梁囲み領域３２を形成している点からすると、これら各床梁２３，２６ａ，３１をそれぞれ囲み床梁ということもできる。
【００４６】
梁囲み領域３２を挟んで対向する床大梁２３及び床小梁３１にはそれぞれそれら各床梁２３，３１よりも下方に延びた状態で垂下部材５１が取り付けられている。垂下部材５１は上下方向に延びる平板状の鋼板により形成されている。垂下部材５１は、床大梁２３の内側（梁囲み領域３２側）及び床小梁３１の内側（梁囲み領域３２側）にそれぞれ取り付けられている。垂下部材５１は、床大梁２３においてその長手方向に所定の間隔で複数配置され、また床小梁３１においてその長手方向に所定の間隔で複数配置されている。床大梁２３に設けられた各垂下部材５１と、床小梁３１に設けられた各垂下部材５１とはいずれも床大梁２３の長手方向（換言すると床小梁３１の長手方向）において同じ位置に配置されている。この場合、床大梁２３の各垂下部材５１と床小梁３１の各垂下部材５１とは梁囲み領域３２を挟んで互いの板面を対向させた状態で配置されている。また、本実施形態では、床大梁２３側の垂下部材５１と、床小梁３１側の垂下部材５１とがいずれも同じ構成となっている。このため、これら各床梁２３，３１の垂下部材５１に同じ符号５１を付している。
【００４７】
各床梁２３，３１のうち、床大梁２３に対しては垂下部材５１がブラケット５２を介して取り付けられている。その一方で、床小梁３１に対しては垂下部材５１が直接取り付けられている。そこで、以下においては、床大梁２３に対する垂下部材５１の取付構成と、床小梁３１に対する垂下部材５１の取付構成とについて図５に加え図６及び図７を用いながら詳しく説明する。図６は床大梁２３に対する垂下部材５１の取付構成を示す分解斜視図であり、図７は床小梁３１に対する垂下部材５１の取付構成を示す分解斜視図である。
【００４８】
まず、床大梁２３に対する垂下部材５１の取付構成から説明する。図５及び図６に示すように、床大梁２３は、上下方向に延びるウェブ２３ａと、そのウェブ２３ａを挟んで上下両側に設けられた上フランジ２３ｂ及び下フランジ２３ｃとを有する。床大梁２３では、それらウェブ２３ａ及び各フランジ２３ｂ，２３ｃにより囲まれた内側に溝部２４が形成されている。
【００４９】
床大梁２３には、その溝部２４内にブラケット５２が設けられている。ブラケット５２は、鋼板により形成され、床大梁２３のウェブ２３ａにボルト５３（例えばワンサイドボルト）により固定され互いに離間する一対の梁固定板部５２ａと、それら各梁固定板部５２ａからそれぞれ溝部２４の外側に向けて延びる一対の中間板部５２ｂと、それら各中間板部５２ｂにそれぞれ連結され垂下部材５１が取り付けられる取付板部５２ｃとを有する。取付板部５２ｃは床大梁２３のウェブ２３ａと平行に配置され、その表面すなわち梁囲み領域３２側の面が溝部２４の外側に位置している。詳しくは、取付板部５２ｃの表面（すなわちブラケット５２において垂下部材５１が取り付けられる取付面）は床大梁２３の上フランジ２３ｂ及び下フランジ２３ｃの先端部よりも若干梁囲み領域３２側に位置している。したがって、ブラケット５２は、床大梁２３よりも若干内側（梁囲み領域３２側）に突出した状態で配設されており、その突出量が例えば垂下部材５１の厚み以下とされている。なお、取付板部５２ｃの表面は、取付板部５２ｃの厚み方向において床大梁２３の各フランジ２３ｂ，２３ｃの先端部と同じ位置に設定されてもよい。この場合、ブラケット５２は、床大梁２３から梁囲み領域３２側に突出しない状態で配置される。
【００５０】
ブラケット５２の取付板部５２ｃには、その表面に垂下部材５１が取り付けられている。垂下部材５１は、その上側部分が取付板部５２ｃにボルト５５（例えばワンサイドボルト）により固定されている。これにより、垂下部材５１は、その下側部分がブラケット５２ひいては床大梁２３よりも下方に垂下された状態となっている。
【００５１】
続いて、床小梁３１に対する垂下部材５１の取付構成について説明する。図５及び図７に示すように、床小梁３１は、床大梁２３と同様、上下に延びるウェブ３１ａと、そのウェブ３１ａを挟んで上下両側に設けられた上フランジ３１ｂ及び下フランジ３１ｃとを有する。床小梁３１では、それらウェブ３１ａ及び各フランジ３１ｂ，３１ｃにより囲まれた内側に溝部３３が形成されている。
【００５２】
床小梁３１には、そのウェブ３１ａの外側面すなわち梁囲み領域３２側の面に垂下部材５１が取り付けられている。垂下部材５１は、その上側部分が床小梁３１のウェブ３１ａにボルト５６（例えばワンサイドボルト）により固定されている。これにより、垂下部材５１は、その下側部分が床小梁３１よりも下方に垂下された状態となっている。
【００５３】
図３〜図５に示すように、互いに対向する床大梁２３側の垂下部材５１と床小梁３１側の垂下部材５１との間には支持梁５８が架け渡されて設けられている。支持梁５８は、各垂下部材５１において床梁２３，３１よりも下方に垂下した部分に架け渡されている。これにより、支持梁５８は、各床梁２３，３１よりも低い位置に配置されている。また、支持梁５８は、対向する各床梁２３，３１の垂下部材５１ごとに設けられている。これにより、支持梁５８は、所定の間隔で複数（本実施形態では４つ）配置されている。なお、各支持梁５８がそれぞれ支持部材に相当する。
【００５４】
各支持梁５８は、断面コ字状の軽量溝形鋼よりなり、その溝部を側方に向けた状態で配置されている。各支持梁５８には、その長手方向の両端部に平板状のエンドプレート５９が溶接固定されている（図７も参照）。各エンドプレート５９は、上下方向に延びており、床大梁２３側の垂下部材５１と床小梁３１側の垂下部材５１とにそれぞれボルト６１及びナット６２を用いて固定されている。これにより、支持梁５８はそれら各垂下部材５１にエンドプレート５９を介して架け渡されている。
【００５５】
各支持梁５８は、一階部分１４の建物ユニット２０ｂの天井小梁２５ｂと同じ方向に延びている。各支持梁５８は、その平面視において、天井小梁２５ｂと異なる位置に配置されている。各支持梁５８は、隣り合う天井小梁２５ｂの間に配置され、その配置状態で床大梁２３側の垂下部材５１と床小梁３１側の垂下部材５１とに架け渡されている。また、各支持梁５８は、その上面が各床梁２３，３１（詳しくは下フランジ２３ｃ，３１ｃ）の下面よりも低い位置に設定され、さらには、その上面が建物ユニット２０ｂの天井大梁２２の上面よりも低い位置に設定されている。
【００５６】
各支持梁５８の上面には支持板６４が載置された状態で設けられている。支持板６４は、例えばパーティクルボードにより形成されている。支持板６４は、各支持梁５８に対してビス等で固定されている。
【００５７】
支持板６４の上には、浴室ユニット３５が設置されている。浴室ユニット３５は、複数の脚部３９を有し、それら各脚部３９が支持板６４上に載置された状態で設置されている。かかる浴室ユニット３５の設置状態において、浴室ユニット３５の床パネル３７は脱衣室１７の床面材２８と同じ高さに位置し、その床面材２８と横並びで配置されている。この場合、脱衣室１７の床面材２８の上面（つまり脱衣室１７の床面）と、床パネル３７（床板部３７ａ）の上面（つまり浴室１６の床面）とは略同じ高さ位置に設定されている。これにより、脱衣室１７の床面と浴室１６の床面との間でバリアフリーが実現されている。
【００５８】
続いて、浴室ユニット３５の床パネル３７と脱衣室１７の床面材２８との境界部周辺の構成について図３に加え図８を用いながら説明する。図８は、浴室ユニット３５の床パネル３７と脱衣室１７の床面材２８との境界部周辺の構成を拡大して示す縦断面図である。
【００５９】
図８に示すように、浴室ユニット３５の床パネル３７と脱衣室１７の床面材２８との境界部では、その境界部に沿って床小梁２６ａが配置されている。床小梁２６ａは、上述したように溝形鋼からなり、その溝部を側方に向けて詳しくは浴室ユニット３５とは反対側に向けて配置されている。なお、床小梁２６ａが境界床梁に相当する。
【００６０】
床小梁２６ａの上面には床面材２８が載置されている。床面材２８は、床小梁２６ａの上面のうち、浴室ユニット３５とは反対側の一部の領域にのみ載置されている。このため、床小梁２６ａの上面において浴室ユニット３５側は床面材２８が載置されていない非載置領域６９となっている。また、床面材２８は、ビス６８により床小梁２６ａに固定されている。
【００６１】
浴室ユニット３５の床パネル３７は、その一部が床面材２８よりも下方に落とし込まれた落とし込み部分７１となっている。この落とし込み部分７１において、床パネル３７（側板部３７ｂ）の床小梁２６ａ側の側面にはＬ字状のアングル６６が取り付けられている。アングル６６は金属製であり、床パネル３７の側板部３７ｂにビス等で固定された縦板部６６ａと、その縦板部６６ａの上端部から側板部３７ｂとは反対側に向けて延びる横板部６６ｂとを有する。横板部６６ｂは、その上面が床小梁２６ａの上面と同じ高さ位置に設定されている。なお、アングル６６が固定部材に相当する。
【００６２】
浴室ユニット３５の床パネル３７と脱衣室１７の床面材２８との間には振れ止め部材６５が設けられている。振れ止め部材６５は、床パネル３７と床面材２８との間に介在されることで浴室ユニット３５の振れを抑制する部材となっている。振れ止め部材６５は、平板状に形成された矩形の板材からなり、例えばパーティクルボードにより形成されている。振れ止め部材６５は、浴室ユニット３５のドア枠４３の真下に配置され、詳しくは下枠部４３ａの真下に配置されている。また、振れ止め部材６５は、ドア枠４３の真下に所定の間隔をおいて複数（具体的には２つ）配置されている。本実施形態では、各振れ止め部材６５がドア枠４３の幅方向の両端部においてそのドア枠４３の真下に配置されている。
【００６３】
振れ止め部材６５は、アングル６６の横板部６６ｂの上面と床小梁２６ａの非載置領域６９とに跨がって載置されており、その載置状態でアングル６６及び床小梁２６ａにそれぞれビス６８により固定されている。これにより、振れ止め部材６５は、アングル６６を介して浴室ユニット３５に固定されているとともに、（床面材２８側の）床小梁２６ａに対して固定されている。また、振れ止め部材６５は、かかる載置状態において、その幅方向（換言すると浴室ユニット３５と床面材２８とが並ぶ並び方向）の一端部が浴室ユニット３５の床パネル３７の側面に当接し、幅方向の他端部が床面材２８の端面に当接している。
【００６４】
ここで、本建物１０では、上述したように、浴室ユニット３５が浴室リフォームの際に建物ユニット２０ａ内に組み付けられたものとなっている。ここで、この浴室リフォームの際の作業について簡単に説明する。
【００６５】
浴室リフォーム時にはまず、既設の浴室ユニットを建物ユニット２０ａから撤去する。そして、その後、浴室ユニットを支持していた支持梁等の支持構造を撤去する。撤去作業が終わったら、浴室ユニット３５を設置する前作業として、垂下部材５１、ブラケット５２及び支持梁５８を組み付ける作業を行う。その後、支持板６４を支持梁５８上に組み付ける。
【００６６】
前作業が終わったら、浴室ユニット３５を建物ユニット２０ａに組み入れる作業を行う。この組み入れ作業では、浴室ユニット３５を梁囲み領域３２を通じて支持板６４上に設置する。浴室ユニット３５を支持板６４上に設置した時点では、作業者が浴室ユニット３５に出入りできるよう、浴室ユニット３５にはドア枠４３及び浴室ドア４２が取り付けられていない状態となっている。
【００６７】
続いて、振れ止め部材６５を所定位置に取り付ける作業を行う。この作業ではまず、アングル６６を浴室ユニット３５の床パネル３７に固定し、その後、振れ止め部材６５をアングル６６と床小梁２６ａとにそれぞれ固定する。この振れ止め部材６５の取付作業時においては、上述したように、ドア枠４３が取り付けられていない状態とされているため、そのドア枠４３を配設する配設スペースを通じて振れ止め部材６５を取り付ける作業を行うことができる。
【００６８】
振れ止め部材６５の取付作業が終わった後、浴室ユニット３５にドア枠４３と浴室ドア４２とをそれぞれ取り付ける。これにより、浴室リフォームに関する一連の作業が終了する。
【００６９】
以上、詳述した本実施形態の構成によれば、以下の優れた効果が得られる。
【００７０】
建物において浴室ユニット３５が床面材２８よりも下方に落とし込まれた状態で設置され、その浴室ユニット３５が互いに対向する床大梁２３及び床小梁３１の間を通じて配置されている。これら各床梁２３，３１の内側にはそれら床梁２３，３１よりも下方に延びる一対の垂下部材５１が取り付けられ、それら各垂下部材５１には支持梁５８が架け渡されて設けられている。そして、その支持梁５８により浴室ユニット３５が下方から支持されている。
【００７１】
このような浴室ユニット３５の設置構造において、一対の垂下部材５１は互いに対向する平板状をなしている。この場合、各垂下部材５１について上記各床梁２３，３１から内側（梁囲み領域３２側）へ突出する突出量を大いに抑制することができるため、それら各床梁２３，３１の間を通じて浴室ユニット３５を設置するに際し、その浴室ユニット３５のサイズに制約が生じるのを抑制することができる。
【００７２】
また、浴室ユニット３５と床面材２８の間には振れ止め部材６５が介在され、それにより浴室ユニット３５の振れが抑制されている。この場合、垂下部材５１を平板状にしたことで垂下部材５１の強度低下を招くおそれがあるものの、振れ止め部材６５により浴室ユニット３５の振れを抑制することで、浴室ユニット３５を安定した状態で設置することができる。特に、床面材２８は水平方向に拡がって形成されているため、水平方向への荷重に対する抵抗力が高い。このため、振れ止め部材６５を浴室ユニット３５と床面材２８との間に介在させることで、浴室ユニット３５について水平方向への振れを好適に抑制することができる。よって、以上より、浴室ユニット３５のサイズに制約が生じるのを抑制しながら、浴室ユニット３５を安定した状態で設置することができる。
【００７３】
振れ止め部材６５は浴室ユニット３５の床パネル３７と床面材２８との間に配置されている。浴室ユニット３５では床パネル３７が水平方向に拡がって形成されているため、水平方向への荷重に対する抵抗力が高い。このため、振れ止め部材６５を浴室ユニット３５の床パネル３７と床面材２８との間に配置することで、振れ止め部材６５により浴室ユニット３５の振れを抑制する際、浴室ユニット３５が内側にたわむ等して変形するのを抑制することができる。これにより、浴室ユニット３５の振れを好適に抑制することができる。
【００７４】
床面材２８を下方から支持する床小梁２６ａが床面材２８における浴室ユニット３５との境界部に沿って配置され、振れ止め部材６５が、その床小梁２６ａと浴室ユニット３５とにそれぞれ固定されている。この場合、振れ止め部材６５により浴室ユニット３５の振れを抑制する効果を高めることができる。
【００７５】
浴室ユニット３５の落とし込み部分７１において、床パネル３７の床小梁２６ａ側の側面にはアングル６６が取り付けられ、そのアングル６６の上面が床小梁２６ａの上面と同じ高さ位置に設定されている。また、振れ止め部材６５は平板状の板材からなり、アングル６６の上面と、床小梁２６ａの上面において床面材２８が載置されていない非載置領域６９とに跨がって載置されている。そして、振れ止め部材６５は、かかる載置状態において、アングル６６及び床小梁２６ａにそれぞれ固定されている。この場合、振れ止め部材６５を平板により簡単に構成できるとともに、振れ止め部材６５を上方から設置固定できるため振れ止め部材６５の設置作業を容易にすることができる。
【００７６】
浴室ユニット３５を支持梁５８上に設置する際には、浴室ユニット３５にドア枠４３や浴室ドア４２を取り付けない状態で設置することが考えられる。これは、浴室ユニット３５を設置した後、作業者が浴室ユニット３５内に入って作業できるようにするためである。そこで、上記の実施形態では、この点に鑑みて、振れ止め部材６５をドア枠４３の下方に配置している。この場合、浴室ユニット３５を支持梁５８上に設置した後、ドア枠４３の配設スペースを通じて振れ止め部材６５を浴室ユニット３５の床パネル３７と床面材２８との間に配置することが可能となる。このため、振れ止め部材６５を浴室ユニット３５と床面材２８との間に比較的容易に配置することが可能となる。
【００７７】
二階部分１５の建物ユニット２０ａに浴室ユニット３５が設置されている構成において、その建物ユニット２０ａに設けられた支持梁５８は一階部分１４の建物ユニット２０ｂの天井小梁２５ｂと同じ方向に延びるように設けられている。そして、支持梁５８は、その建物ユニット２０ｂの隣り合う天井小梁２５ｂの間において床大梁２３側の垂下部材５１と床小梁３１側の垂下部材５１とに架け渡されて設けられ、その支持梁５８上に浴室ユニット３５が設置されている。これにより、二階部分１５の建物ユニット２０ａに浴室ユニット３５を落とし込んだ状態で設置するに際し、その落とし込み深さを深くすることができ、バリアフリーへの対応等をし易くすることができる。
【００７８】
また、このような浴室ユニット３５の支持構造では、浴室ユニット３５を支持する支持梁５８が一階部分１４の建物ユニット２０ｂの天井小梁２５ｂ間に入り込んでいるものの、当該支持構造が建物ユニット２０ｂとは独立した状態で構築されている。このため、浴室リフォームの際に浴室ユニット３５を二階部分１５の建物ユニット２０ａに組み込むにあたって、一階部分１４の建物ユニット２０ａが影響を受けることがなくリフォームがし易くなっている。また、浴室ユニット３５を支持する支持梁５８については所定の間隔で配置すればよいため、その配置自由度が高く、それにより浴室１６の排水管接続部等と干渉しない位置に配置するといったことが容易となる。
【００７９】
本発明は上記実施形態に限らず、例えば次のように実施されてもよい。
【００８０】
・上記実施形態では、支持梁５８を、一階部分１４の建物ユニット２０ｂにおける隣り合う天井小梁２５ｂの間において、床大梁２３側の垂下部材５１と床小梁３１側の垂下部材５１とに架け渡して設けた。そして、支持梁５８を、その上面が各床梁２３，３１の下面よりも低い位置となるように配置した。しかしながら、支持梁５８を配置する高さ位置は必ずしもかかる位置とする必要はない。例えば、支持梁５８を、その上面が各床梁２３，３１の下面よりも高く、かつ各床梁２３，３１の上面よりも低い位置となるように配置してもよい。この場合にも、支持梁５８上に浴室ユニット３５を床面材２８よりも落とし込んだ状態で設置することが可能となる。
【００８１】
・上記実施形態では、支持梁５８上に支持板６４を設け、その支持板６４上に浴室ユニット３５を設置したが、これを変更して、支持梁５８上に直接浴室ユニット３５を設置してもよい。
【００８２】
また、支持梁５８（支持部材に相当）に代えて、面材を垂下部材５１の間に架け渡し、その面材の上に浴室ユニット３５を設置するようにしてもよい。この場合には、面材が支持部材に相当する。
【００８３】
・上記実施形態では、振れ止め部材６５をドア枠４３の下方に２つ配置したが、これを変更して、１つだけ配置したり、３つ以上配置したりしてもよい。また、振れ止め部材６５をドア枠４３の下方とは異なる場所に配置してもよい。ただ、振れ止め部材６５の設置のし易さを考えると、振れ止め部材６５をドア枠４３の下方に配置するのが望ましい。
【００８４】
・上記実施形態では、振れ止め部材６５を浴室ユニット３５と脱衣室１７の床面材２８との間に設けた。すなわち、上記実施形態では、振れ止め部材６５を浴室ユニット３５における４つの側面のうち、脱衣室１７側の側面に設けたが、振れ止め部材を脱衣室１７側の側面以外の側面に設けてもよい。
【００８５】
・上記実施形態では、振れ止め部材６５をアングル６６と床小梁２６ａとにそれぞれ固定したが、振れ止め部材６５をこれら両部材６６，２６ａのうちのいずれか一方にのみ固定するようにしてもよい。また、振れ止め部材６５をこれら両部材６６，２６ａの両方に固定しないようにしてもよい。例えば、振れ止め部材６５が、その上方に設けられたドア枠４３の下枠部４３ａとアングル６６及び床小梁２６ａとの間に上下に挟まれた状態となっている場合には、このような構成としても振れ止め部材６５を安定した状態で浴室ユニット３５の床パネル３７と床面材２８との間に介在させることができ、振れ止め部材６５による浴室ユニット３５の振れ抑制効果を発揮することができる。
【００８６】
・振れ止め部材６５は必ずしも平板状に形成する必要はない。例えば、振れ止め部材６５をＬ字の板金部材により構成することが考えられる。この場合、振れ止め部材を、浴室ユニット３５の床パネル３７の側板部３７ｂに固定される縦板部と、床小梁２６ａの上面に固定される横板部とを有して構成することが考えられる。この場合にも、振れ止め部材を床パネル３７と床面材２８との間に介在させることができるため、振れ止め部材により浴室ユニット３５の振れを抑制することが可能となる。なお、この場合、アングル６６については不具備とすることができる。
【００８７】
・上記実施形態では、建物１０における浴室リフォームの際に浴室ユニット３５の設置構造を構築する場合について説明したが、建物１０の新築時に浴室ユニット３５の設置構造を構築するようにしてもよい。
【００８８】
・上記実施形態では、本発明の設備設置構造を浴室ユニット３５を設置する場合に適用したが、本発明の設置構造は浴室ユニット３５以外の設備を設置する場合にも適用することができる。つまり、床面材２８よりも下方に落とし込んで設置される設備（落とし込み設備）であれば、本発明を適用することが可能である。例えば、かかる設備としては、掘りごたつや、土間床（玄関床）設備、バルコニー設備等が考えられる。
【００８９】
・上記実施形態では、ユニット式建物への適用例を説明したが、鉄骨軸組工法により構築される建物や、在来木造工法により構築される建物など、他の構造の建物にも適用することができる。
【符号の説明】
【００９０】
１０…建物、２０…建物ユニット、２０ａ…上階ユニットとしての建物ユニット、２０ｂ…下階ユニットとしての建物ユニット、２３…床大梁、２５ｂ…天井小梁、２６ａ…境界床梁としての床小梁、２８…床面材、３１…対向床梁としての床小梁、３５…設備としての浴室ユニット、３７…設備床部としての床パネル、４１…出入口、４２…浴室ドア、４３…ドア枠、５１…垂下部材、５８…支持部材としての支持梁、６５…振れ止め部材、６６…固定部材としてのアングル、６９…非載置領域、７１…落とし込み部。
【図１】
2020186587.tif 000003
【図２】
2020186587.tif 000004
【図３】
2020186587.tif 000005
【図４】
2020186587.tif 000006
【図５】
2020186587.tif 000007
【図６】
2020186587.tif 000008
【図７】
2020186587.tif 000009
【図８】
2020186587.tif 000010